【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
共有無線周波数スペクトル帯域を占有する第１の無線アクセス技術（ＲＡＴ）通信のインジケーションを検知することと、
前記検知することに応答して、前記共有無線周波数スペクトル帯域へのアクセスを求めて競合するためにデバイスによって使用される第２のＲＡＴの少なくとも１つのパラメータを構成することと
を備え、前記第２のＲＡＴの前記少なくとも１つのパラメータを構成することは、
数の範囲を構成することを備え、前記数の範囲からランダム数が選択され、前記ランダム数は、前記デバイスが拡張クリアチャネルアセスメント（ＣＣＡ）プロシージャを実行するＣＣＡスロットの数を決定し、前記数の範囲を構成することは、前記数の範囲の下限を増加させることを備える、
ワイヤレス通信のための方法。
【請求項２】
前記第１のＲＡＴは、Ｗｉ−Ｆｉ（登録商標）  ＲＡＴを備え、前記第２のＲＡＴは、セルラーＲＡＴを備え、
前記数の範囲を構成することは、前記数の範囲の上限を増加させることを追加として備える、
請求項１に記載の方法。
【請求項３】
前記第２のＲＡＴの前記少なくとも１つのパラメータを構成することは、
前記デバイスが前記共有無線周波数スペクトル帯域へのアクセスを求める競合に勝つ前に、前記共有無線周波数スペクトル帯域が利用可能である連続ＣＣＡスロットの数を識別することを追加として備える、
請求項１に記載の方法。
【請求項４】
ＣＣＡスロットの前記識別された数は、前記デバイスが前記共有無線周波数スペクトル帯域へのアクセスを求める競合に勝っていないとき、拡張ＣＣＡプロシージャが実行されるＣＣＡスロットの最後の数である、
請求項３に記載の方法。
【請求項５】
前記第２のＲＡＴの前記少なくとも１つのパラメータを構成することは、
少なくとも１つのＣＣＡプロシージャが実行される少なくとも１つのＣＣＡスロットのためのＣＣＡエネルギー検出しきい値を構成することを追加として備える、
請求項１に記載の方法。
【請求項６】
前記共有無線周波数スペクトル帯域が占有される期間に続いて前記共有無線周波数スペクトル帯域のエネルギーレベルを検知するように前記デバイスを構成することをさらに備える、
請求項１に記載の方法。
【請求項７】
前記第２のＲＡＴの前記少なくとも１つのパラメータを構成することは、
前記検知されたエネルギーに少なくとも部分的に基づいて、ＣＣＡエネルギー検出しきい値を構成することと、
前記ＣＣＡエネルギー検出しきい値に少なくとも部分的に基づいて、ある数のＣＣＡプロシージャを実行するように前記デバイスを構成すること、ここにおいて、前記数のＣＣＡプロシージャがＣＣＡスロットのセット中で実行される、と、
前記共有無線周波数スペクトル帯域が、ＣＣＡスロットの前記セット中に含まれるＣＣＡスロットのサブセットのために利用可能であると決定されたとき、前記共有無線周波数スペクトル帯域へのアクセスを求める競合に勝つように前記デバイスを構成することと
を追加として備える、請求項６に記載の方法。
【請求項８】
前記第２のＲＡＴの前記少なくとも１つのパラメータを構成することは、
拡張ＣＣＡプロシージャが実行される最後のＣＣＡスロットの持続時間を増加させることを追加として備える、
請求項１に記載の方法。
【請求項９】
前記第２のＲＡＴの前記少なくとも１つのパラメータを構成することは、
前記共有無線周波数スペクトル帯域へのアクセスを求めて競合するために、複数の拡張ＣＣＡプロシージャを実行するように前記デバイスを構成することを追加として備える、
請求項１に記載の方法。
【請求項１０】
前記複数の拡張ＣＣＡプロシージャは、第１の拡張ＣＣＡプロシージャと、それに続く第２の拡張ＣＣＡプロシージャとを備える、
請求項９に記載の方法。
【請求項１１】
前記第１の拡張ＣＣＡプロシージャは、第１の数のＣＣＡスロットにわたって実行されるように構成され、前記第２の拡張ＣＣＡプロシージャは、第２の数のＣＣＡスロットにわたって実行されるように構成された、
請求項１０に記載の方法。
【請求項１２】
前記第２のＲＡＴの前記少なくとも１つのパラメータを構成することは、
前記共有無線周波数スペクトル帯域が利用不可能であると決定すると、前記デバイスが追加の数のＣＣＡプロシージャを実行する前に待つべき延期期間を構成することと、
前記共有無線周波数スペクトル帯域が、前記追加の数のＣＣＡプロシージャの各々のために利用可能であると決定すると、前記共有無線周波数スペクトル帯域へのアクセスを求める競合に勝つように前記デバイスを構成することと
を追加として備える、請求項１に記載の方法。
【請求項１３】
第１のＲＡＴ通信の前記インジケーションは、前記デバイスのエネルギー検出範囲内で検出された送信機の数に少なくとも部分的に基づく、または
第１のＲＡＴ通信の前記インジケーションは、フィードバックが報告される送信の失敗率に少なくとも部分的に基づく、または
第１のＲＡＴ通信の前記インジケーションは、エラーが報告されない送信についての消去率に少なくとも部分的に基づく、
請求項１に記載の方法。
【請求項１４】
第１のＲＡＴ通信の前記インジケーションは、サポートされる変調およびコーディング方式（ＭＣＳ）と、実際に使用されるＭＣＳとの間の相違に少なくとも部分的に基づく、または
前記デバイスは、基地局またはユーザ機器（ＵＥ）の一方を備え、前記識別することおよび前記構成することは、前記基地局または前記ＵＥの前記一方によって実行される、
請求項１に記載の方法。
【請求項１５】
請求項１乃至１４のうちの任意の１項に記載のステップを実行するようにアレンジされた手段を備える、ワイヤレス通信のための装置。
【手続補正２】
【補正対象書類名】明細書
【補正対象項目名】０２０１
【補正方法】変更
【補正の内容】
【０２０１】
[0225]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に一致する最も広い範囲を与えられるべきである。
以下に、本願出願の当初の特許請求の範囲に記載された発明を付記する。
［Ｃ１］
共有無線周波数スペクトル帯域を占有する第１の無線アクセス技術（ＲＡＴ）通信のインジケーションを検知することと、
前記検知することに応答して、前記共有無線周波数スペクトル帯域へのアクセスを求めて競合するためにデバイスによって使用される第２のＲＡＴの少なくとも１つのパラメータを構成することと
を備える、ワイヤレス通信のための方法。
［Ｃ２］
前記第１のＲＡＴは、Ｗｉ−Ｆｉ（登録商標）  ＲＡＴを備え、前記第２のＲＡＴは、セルラーＲＡＴを備える、
［Ｃ１］に記載の方法。
［Ｃ３］
前記第２のＲＡＴの前記少なくとも１つのパラメータを構成することは、
数の範囲を構成することを備え、前記数の範囲からランダム数が選択され、前記ランダム数は、前記デバイスが拡張クリアチャネルアセスメント（ＣＣＡ）プロシージャを実行するＣＣＡスロットの数を決定する、
［Ｃ１］に記載の方法。
［Ｃ４］
前記数の範囲を構成することは、前記数の範囲の下限を増加させること、または前記数の範囲の上限を増加させること、またはそれらの組合せのうちの少なくとも１つを備える、
［Ｃ３］に記載の方法。
［Ｃ５］
前記第２のＲＡＴの前記少なくとも１つのパラメータを構成することは、
前記デバイスが前記共有無線周波数スペクトル帯域へのアクセスを求める競合に勝つ前に、前記共有無線周波数スペクトル帯域が利用可能である連続ＣＣＡスロットの数を識別することを備える、
［Ｃ１］に記載の方法。
［Ｃ６］
ＣＣＡスロットの前記識別された数は、前記デバイスが前記共有無線周波数スペクトル帯域へのアクセスを求める競合に勝っていないとき、拡張ＣＣＡプロシージャが実行されるＣＣＡスロットの最後の数である、
［Ｃ５］に記載の方法。
［Ｃ７］
前記第２のＲＡＴの前記少なくとも１つのパラメータを構成することは、
少なくとも１つのＣＣＡプロシージャが実行される少なくとも１つのＣＣＡスロットのためのＣＣＡエネルギー検出しきい値を構成することを備える、
［Ｃ１］に記載の方法。
［Ｃ８］
前記共有無線周波数スペクトル帯域が占有される期間に続いて前記共有無線周波数スペクトル帯域のエネルギーレベルを検知するように前記デバイスを構成することをさらに備える、
［Ｃ１］に記載の方法。
［Ｃ９］
前記第２のＲＡＴの前記少なくとも１つのパラメータを構成することは、
前記検知されたエネルギーに少なくとも部分的に基づいて、ＣＣＡエネルギー検出しきい値を構成することと、
前記ＣＣＡエネルギー検出しきい値に少なくとも部分的に基づいて、ある数のＣＣＡプロシージャを実行するように前記デバイスを構成すること、ここにおいて、前記数のＣＣＡプロシージャがＣＣＡスロットのセット中で実行される、と、
前記共有無線周波数スペクトル帯域が、ＣＣＡスロットの前記セット中に含まれるＣＣＡスロットのサブセットのために利用可能であると決定されたとき、前記共有無線周波数スペクトル帯域へのアクセスを求める競合に勝つように前記デバイスを構成することと
を備える、［Ｃ８］に記載の方法。
［Ｃ１０］
前記第２のＲＡＴの前記少なくとも１つのパラメータを構成することは、
拡張ＣＣＡプロシージャが実行される最後のＣＣＡスロットの持続時間を増加させることを備える、
［Ｃ１］に記載の方法。
［Ｃ１１］
前記第２のＲＡＴの前記少なくとも１つのパラメータを構成することは、
前記共有無線周波数スペクトル帯域へのアクセスを求めて競合するために、複数の拡張ＣＣＡプロシージャを実行するように前記デバイスを構成することを備える、
［Ｃ１］に記載の方法。
［Ｃ１２］
前記複数の拡張ＣＣＡプロシージャは、第１の拡張ＣＣＡプロシージャと、それに続く第２の拡張ＣＣＡプロシージャとを備える、
［Ｃ１１］に記載の方法。
［Ｃ１３］
前記第１の拡張ＣＣＡプロシージャは、第１の数のＣＣＡスロットにわたって実行されるように構成され、前記第２の拡張ＣＣＡプロシージャは、第２の数のＣＣＡスロットにわたって実行されるように構成された、
［Ｃ１２］に記載の方法。
［Ｃ１４］
前記第２のＲＡＴの前記少なくとも１つのパラメータを構成することは、
前記共有無線周波数スペクトル帯域が利用不可能であると決定すると、前記デバイスが追加の数のＣＣＡプロシージャを実行する前に待つべき延期期間を構成することと、
前記共有無線周波数スペクトル帯域が、前記追加の数のＣＣＡプロシージャの各々のために利用可能であると決定すると、前記共有無線周波数スペクトル帯域へのアクセスを求める競合に勝つように前記デバイスを構成することと
を備える、［Ｃ１］に記載の方法。
［Ｃ１５］
第１のＲＡＴ通信の前記インジケーションは、前記デバイスのエネルギー検出範囲内で検出された送信機の数に少なくとも部分的に基づく、
［Ｃ１］に記載の方法。
［Ｃ１６］
第１のＲＡＴ通信の前記インジケーションは、フィードバックが報告される送信の失敗率に少なくとも部分的に基づく、
［Ｃ１］に記載の方法。
［Ｃ１７］
第１のＲＡＴ通信の前記インジケーションは、エラーが報告されない送信についての消去率に少なくとも部分的に基づく、
［Ｃ１］に記載の方法。
［Ｃ１８］
第１のＲＡＴ通信の前記インジケーションは、サポートされる変調およびコーディング方式（ＭＣＳ）と、実際に使用されるＭＣＳとの間の相違に少なくとも部分的に基づく、
［Ｃ１］に記載の方法。
［Ｃ１９］
前記デバイスは、基地局またはユーザ機器（ＵＥ）の一方を備え、前記識別することおよび前記構成することは、前記基地局または前記ＵＥの前記一方によって実行される、
［Ｃ１］に記載の方法。
［Ｃ２０］
共有無線周波数スペクトル帯域を占有する第１の無線アクセス技術（ＲＡＴ）通信のインジケーションを検知するための手段と、
前記検知することに応答して、前記共有無線周波数スペクトル帯域へのアクセスを求めて競合するためにデバイスによって使用される第２のＲＡＴの少なくとも１つのパラメータを構成するための手段と
を備える、ワイヤレス通信のための装置。
［Ｃ２１］
前記第２のＲＡＴの前記少なくとも１つのパラメータを前記構成するための手段は、
数の範囲を構成するための手段を備え、前記数の範囲からランダム数が選択され、前記ランダム数は、前記デバイスが拡張クリアチャネルアセスメント（ＣＣＡ）プロシージャを実行するＣＣＡスロットの数を決定する、
［Ｃ２０］に記載の装置。
［Ｃ２２］
前記第２のＲＡＴの前記少なくとも１つのパラメータを前記構成するための手段は、
前記デバイスが前記共有無線周波数スペクトル帯域へのアクセスを求める競合に勝つ前に、前記共有無線周波数スペクトル帯域が利用可能である連続ＣＣＡスロットの数を識別するための手段を備える、
［Ｃ２０］に記載の装置。
［Ｃ２３］
前記第２のＲＡＴの前記少なくとも１つのパラメータを前記構成するための手段が、
少なくとも１つのＣＣＡプロシージャが実行される少なくとも１つのＣＣＡスロットのためのＣＣＡエネルギー検出しきい値を構成するための手段を備える、
［Ｃ２０］に記載の装置。
［Ｃ２４］
前記第２のＲＡＴの前記少なくとも１つのパラメータを前記構成するための手段は、
拡張ＣＣＡプロシージャが実行される最後のＣＣＡスロットの持続時間を増加させるための手段を備える、
［Ｃ２０］に記載の装置。
［Ｃ２５］
前記第２のＲＡＴの前記少なくとも１つのパラメータを前記構成するための手段は、
前記共有無線周波数スペクトル帯域へのアクセスを求めて競合するために、複数の拡張ＣＣＡプロシージャを実行するように前記デバイスを構成するための手段を備える、
［Ｃ２０］に記載の装置。
［Ｃ２６］
前記複数の拡張ＣＣＡプロシージャは、第１の拡張ＣＣＡプロシージャと、それに続く第２の拡張ＣＣＡプロシージャとを備える、
［Ｃ２５］に記載の装置。
［Ｃ２７］
前記第２のＲＡＴの前記少なくとも１つのパラメータを前記構成するための手段は、
前記共有無線周波数スペクトル帯域が利用不可能であると決定すると、前記デバイスが追加の数のＣＣＡプロシージャを実行する前に待つべき延期期間を構成するための手段と、
前記共有無線周波数スペクトル帯域が、前記追加の数のＣＣＡプロシージャの各々のために利用可能であると決定すると、前記共有無線周波数スペクトル帯域へのアクセスを求める競合に勝つように前記デバイスを構成するための手段と
を備える、［Ｃ２０］に記載の装置。
［Ｃ２８］
下限と上限との間に及ぶ数の範囲から数をランダムに選択することと、
複数のクリアチャネルアセスメント（ＣＣＡ）スロットにわたって拡張ＣＣＡプロシージャを実行することによって、共有無線周波数スペクトル帯域へのアクセスを求めて競合すること、前記複数のＣＣＡスロットは、前記上限に等しい第１の数のＣＣＡスロットを備える、と、
前記拡張ＣＣＡプロシージャを実行しながら、前記共有無線周波数スペクトル帯域が、前記ランダムに選択された数に等しい第２の数のＣＣＡスロットのために利用可能であると決定した後に、前記共有無線周波数スペクトル帯域へのアクセスを求める競合に勝つことと
を備える、ワイヤレス通信のための方法。
［Ｃ２９］
前記拡張ＣＣＡプロシージャを実行しながら、前記共有無線周波数スペクトル帯域が、前記第１の数のＣＣＡスロット−前記ランダムに選択された数＋１に等しい第３の数のＣＣＡスロットのために利用不可能であると決定した後に、前記拡張ＣＣＡプロシージャを中止し、前記共有無線周波数スペクトル帯域へのアクセスを求める競合に勝つことに失敗することをさらに備える、
［Ｃ２８］に記載の方法。
［Ｃ３０］
下限と上限との間に及ぶ数の範囲から数をランダムに選択するための手段と、
複数のクリアチャネルアセスメント（ＣＣＡ）スロットにわたって拡張ＣＣＡプロシージャを実行することによって、共有無線周波数スペクトル帯域へのアクセスを求めて競合するための手段と、前記複数のＣＣＡスロットが、前記上限に等しい第１の数のＣＣＡスロットを備える、
前記拡張ＣＣＡプロシージャを実行しながら、前記共有無線周波数スペクトル帯域が、前記ランダムに選択された数に等しい第２の数のＣＣＡスロットのために利用可能であると決定した後に、前記共有無線周波数スペクトル帯域へのアクセスを求める競合に勝つための手段と
を備える、ワイヤレス通信のための装置。